【手続補正書】
【提出日】平成18年12月26日(2006.12.26)
【手続補正１】
【補正対象書類名】明細書
【補正対象項目名】００１２
【補正方法】変更
【補正の内容】
【００１２】
図１は本発明のＣＳデジタル放送受信機の内部構成を示すブロック図、図２は外部機器の接続状態を示すブロック図であり、同図において、ＣＳデジタル放送受信機１は制御手段たるマイコン２、チューナ部３、複数の外部出力端子４，５、ミュート回路６によって構成され、前記外部出力端子４，５にはモニター７とアナログビデオレコーダ、デジタルビデオレコーダ、ハードディスク等の録画手段８が接続される。なお、録画手段８は、地上波放送を受信するチューナ部９、前記ＣＳデジタル放送受信機１と接続する外部入力端子１０、前記チューナ部９及び外部入力端子１０を介して出力されるＣＳデジタル放送受信機１のチューナ部３の映像信号を録画する録画部１１を備えている。また、外部入力端子１０には、この外部入力端子１０に出力される前記ＣＳデジタル放送受信機１の映像信号を検知する信号検知部１１と、この信号検知部１１からの信号に基づいて、前記録画部１１を制御するマイコン１３を備えており、このマイコン１３によって、前記ＣＳデジタル放送受信機１の電源オンと連動して前記録画部１１を動作させる「簡単録画モード」となっている。なお、メニュー画面により予め前記録画手段８を接続する前記外部出力端子を選択できるようになっており、図１においては、外部出力端子５を録画手段８に接続するように設定している。また、ＣＳデジタル放送受信機１には、例えば、電子番組ガイド(Ｅｌｅｃｔｒｏｎｉｃ  Ｐｒｏｇｒａｍ  Ｇｕｉｄｅ)などによって取得した番組情報に基づいて前記マイコン２によって、ユーザーが指定した開始時刻に番組予約モードとなる機能と、この機能をオン・オフできる選択機能を備えている。さらに、ＣＳデジタル放送受信機１には、前記録画手段８側の簡単録画モードに対応するかしないかを選択する機能を有する。
【手続補正２】
【補正対象書類名】明細書
【補正対象項目名】００１３
【補正方法】変更
【補正の内容】
【００１３】
以上にように構成される本発明の本実施例において、図３、図４のフローチャートを参照して予約と連動した録画動作について説明すると、まず、電子番組ガイド(Ｅｌｅｃｔｒｏｎｉｃ  Ｐｒｏｇｒａｍ  Ｇｕｉｄｅ)などで番組予約する場合、ステップＳ１で番組表データをオンスクリーン表示したモニター画面上で見ながら、任意の番組を選択し、その番組の録画開始時刻、録画終了時刻、選局ＣＨデータなどが設定される。この後、前記録画手段８側の「簡単録画モード」に基づいて録画動作を開始する否か選択する。「簡単録画モード」に基づいて録画動作を開始する、を選択した場合、ＣＳデジタル放送受信機１の電源投入と連動して、チューナ部３からの映像音声信号が録画手段８に出力され、録画手段８により、チューナ部３で選局した番組が録画されることになる。一方、「番組予約モード」に対応しない、を選択した場合、ステップＳ１でユーザーが前記録画手段８を接続する外部出力端子（本実施例では５）を選択しているか否かを判定し、外部出力端子５を選択している場合、チューナ部３で選局した番組の映像音声信号が出力される。この時、まず、タイマー番組予約の有無を判別し（ステップＳ２）し、タイマー予約があれば、タイマー予約が実行される間のＣＳデジタル放送受信機１の電源がオンかオフかを監視する（ステップＳ３）。この番組予約モードのスタンバイ状態では録画手段８が接続される外部出力端子５にはチューナ部３からの映像音声信号は出力されず（ステップＳ４）、モニター７が接続された外部出力端子４にチューナ部３からの映像音声信号が出力される。これにより、「番組予約モード」では、チューナ部３で受信した番組の映像音声信号は録画手段８に出力されないから、例え、ＣＳデジタル放送受信機１の電源をオンしても、録画手段８にチューナ部３で受信した番組が録画されることはない。また、スタンバイ状態でもモニター７が接続された外部出力端子４にチューナ部３からの映像音声信号が出力されるから、チューナ部３で受信した番組を視聴することができるとともに、チャネル切り換えや放送切り換えも可能である。そして、タイマー予約が実行されると（ステップＳ５）、チューナ部３で受信した番組の映像音声信号は録画手段８に出力され（ステップＳ６）、録画手段８によってチューナ部３で受信した番組の映像音声信を録画することができる。なお、タイマーをオフした場合（ステップＳ７）、当然、チューナ部３で受信した番組の映像音声信号は録画手段８に出力されない（ステップＳ７）。また、タイマー予約を行わない場合（ステップＳ９）、ＣＳデジタル放送受信機１の電源投入動作に連動してチューナ部３で受信した番組の映像音声信号は録画手段８に出力され、簡単録画モードによりチューナ部３で受信した番組の映像音声信号が録画手段８に録画される（ステップＳ１０）、ＣＳデジタル放送受信機１の電源オフ時には外部出力しない（ステップＳ１１）。
【手続補正３】
【補正対象書類名】明細書
【補正対象項目名】００１４
【補正方法】変更
【補正の内容】
【００１４】
一方、外部出力端子５を選択していない場合、図４に示すように、モニター７が接続された外部出力端子４にチューナ部３からの映像音声信号が出力され、その後は、前述した動作と同様、タイマー番組予約の有無を判別し（ステップＳ１２）し、タイマー予約があれば、タイマー予約が実行される間のＣＳデジタル放送受信機１の電源がオンかオフかを監視する（ステップＳ１３）。この番組予約モードのスタンバイ状態では録画手段８が接続される外部出力端子５にはチューナ部３からの映像音声信号は出力されず、モニター７が接続された外部出力端子４にチューナ部３からの映像音声信号が出力される（ステップＳ１４）。これにより、「番組予約モード」では、チューナ部３で受信した番組の映像音声信号は録画手段８に出力されないから、例え、ＣＳデジタル放送受信機１の電源をオンしても、録画手段８にチューナ部３で受信した番組が録画されることはない。また、スタンバイ状態でもモニター７が接続された外部出力端子４にチューナ部３からの映像音声信号が出力されるから、チューナ部３で受信した番組を視聴することができるとともに、チャネル切り換えや放送切り換えも可能である。そして、タイマー予約が実行されると（ステップＳ１５）、チューナ部３で受信した番組の映像音声信号は録画手段８に出力され（ステップＳ１６）、録画手段８によってチューナ部３で受信した番組の映像音声信を録画することができる。なお、タイマーをオフした場合（ステップＳ１７）、当然、チューナ部３で受信した番組の映像音声信号は録画手段８に出力されない（ステップＳ１８）。また、タイマー予約を行わない場合（ステップＳ１９）、ＣＳデジタル放送受信機１の電源投入動作に連動してチューナ部３で受信した番組の映像音声信号は録画手段８に出力され、簡単録画モードによりチューナ部３で受信した番組の映像音声信号が録画手段８に録画される（ステップＳ２０）、ＣＳデジタル放送受信機１の電源オフ時には外部出力しない（ステップＳ２１）。このように、モニター７が接続された外部出力端子４にチューナ部３からの映像音声信号が出力すれば、ユーザーのミスによって、予約設定した場合でも、ミュート回路６によって、ミュートがかからず、モニターには映像が映し出される。すなわち、電子番組ガイドなどで番組予約する場合、比較的簡単に番組予約状態となるが、ユーザーのミスによって、予約設定した場合であっても、録画手段８に誤って録画することを防止することができる。
【手続補正４】
【補正対象書類名】明細書
【補正対象項目名】００１５
【補正方法】変更
【補正の内容】
【００１５】
また、本実施例は、前述したように、「簡単予約に対応する」か「簡単予約に対応しないか」を選択する機能を有しており、図５及び図６のフローチャートを参照してはその動作について説明する。図５及び図６のフローチャートにおいて、ユーザーが選択した出力設定に従って（ステップＳ１００）、ユーザーがタイマー予約設定した後、録画動作がスタートする（ステップＳ１０１）。この時、「簡単予約に対応する」か「簡単予約に対応しないか」すなわち、ＣＳデジタル放送受信機１の電源のオン・オフに連動して録画するか否かを判断する（ステップＳ１０１、Ｓ１０２）。ここで、ユーザーが「簡単予約に対応する」を選択した場合、ミュート回路６にて映像音声信号をミュートする（ステップＳ１０３）。これにより、録画予約開始時間まで録画スタンバイ状態となり、録画予約開始時間になると（ステップＳ１０４）、ＣＳデジタル放送受信機１の電源をオンし、ユーザーが予約したチャンネルを選局し（ステップＳ１０４、Ｓ１０５、Ｓ１０６、Ｓ１０７）、ミュートを解除して映像音声信号を出力（ステップＳ１０８）して録画予約した番組を録画する。録画予約した番組の終了時間になると（ステップＳ１０９）、ミュート回路６にて映像音声信号をミュートする（ステップＳ１１０）。このように、予約した番組をすべて録画し終わった後に、ステップＳ１０２の状態でＣＳデジタル放送受信機１の電源をオフする（ステップＳ１１１、Ｓ１１２）。この後、ユーザーが録画予約しているか否かを判定し、録画予約しているのであれば、ステップＳ１０４へと戻り録画動作を開始する。予約した番組をすべて録画し終わった後に、例えば、新たに番組予約のために電源をオンしても、ミュート回路６によって外部出力端子５に出力されないので（Ｓ１１５）、録画手段８の簡単予約を解除しない状態のまま、簡単に録画予約が可能となる。
【手続補正５】
【補正対象書類名】明細書
【補正対象項目名】００１６
【補正方法】変更
【補正の内容】
【００１６】
また、ステップＳ１０２でユーザーが「簡単予約に対応しない」を選択すれば、ユーザーの設定した予約番組の開始時刻でＣＳデジタル放送受信機１の電源をオンし、予約したシャンネルを選局し、番組の終了時刻まで録画予約した番組を録画（ステップＳ１２０〜Ｓ１２４）する。このように、予約した番組をすべて録画し終わった後に、ステップＳ１０２の状態でＣＳデジタル放送受信機１の電源をオフする（ステップＳ１２５、Ｓ１２６）。この後、ユーザーが録画予約しているか否かを判定し（ステップＳ１２７）し、録画予約しているのであれば、ステップＳ１２０へと戻り録画動作を開始する。また、例えば、毎週／毎日予約などの録画予約をセットした後でも、「簡単録画モード」に対応しない、を選択すれば、ミュート回路６が動作しないため、セットした録画予約を取り消さなくとも、視聴中の映像音声信号が外部出力端子５に出力されるから、その視聴中の映像音声信号を簡単に録画手段８に録画することが可能となる。（ステップＳ１２８、Ｓ１２９）。
【手続補正６】
【補正対象書類名】明細書
【補正対象項目名】００１７
【補正方法】変更
【補正の内容】
【００１７】
以上のように、本実施例においては、予め録画手段８を接続する外部出力端子５を選択する機能を有し、番組予約選択時における予約待機状態では録画手段側外部出力端子５にチューナ部９からの映像音声信号をせずに、モニター７が接続された外部出力端子４に出力し、かつ、番組予約モードの予約番組開始時刻にチューナ部９からの映像音声信号を録画手段８が接続された出力端子５に出力するように制御すように構成したから、「番組予約モード」では、チューナ部３で受信した番組の映像音声信号は録画手段８に出力されないから、例え、ＣＳデジタル放送受信機１の電源をオンしても、録画手段８にチューナ部３で受信した番組が録画されることはない。また、スタンバイ状態でもモニター７が接続された外部出力端子４にチューナ部３からの映像音声信号が出力されるから、チューナ部３で受信した番組を視聴することができるとともに、チャネル切り換えや放送切り換えも可能である。